(57)【要約】【課題】プライバシー情報を含む可能性のある、動物の周囲における観測情報の漏洩を防止すること。【解決手段】情報管理装置１００は、動物の周囲の状態を観測して観測情報として取得する観測情報取得部１１０と、許可ユーザを特定可能な特定情報を比較情報として検出する検出部１３０と、あらかじめ記憶された許可ユーザを特定可能な特定情報である基準情報と、検出部１３０が取得した比較情報とを比較し、比較情報が許可ユーザであることを示す特定情報であるか否かを判定し、比較情報が許可ユーザであることを示す特定情報である場合に、観測情報取得部が取得した観測情報を利用可能にする制御部１５０と、を備える。【選択図】図１
2019109832.tif 000002
【特許請求の範囲】
【請求項１】
動物の周囲の状態を観測して観測情報として取得する観測情報取得部と、
許可ユーザを特定可能な特定情報を比較情報として検出する検出部と、
あらかじめ記憶された許可ユーザを特定可能な特定情報である基準情報と、前記検出部が取得した前記比較情報とを比較し前記比較情報が前記許可ユーザであることを示す特定情報であるか否かを判定し、前記比較情報が前記許可ユーザであることを示す特定情報である場合に、前記観測情報取得部が取得した前記観測情報を利用可能にする制御部と、
を備える、情報管理装置。
【請求項２】
前記制御部は、前記基準情報と、前記比較情報とを比較し、前記比較情報が前記許可ユーザであることを示す特定情報であるか否かを判定し、前記比較情報が前記許可ユーザであることを示す特定情報である場合に、前記観測情報取得部による前記観測情報の取得を可能とする、請求項１に記載の情報管理装置。
【請求項３】
前記制御部は、前記基準情報と、前記比較情報とを比較し、前記比較情報が前記許可ユーザであることを示す特定情報であるか否かを判定し、前記比較情報が前記許可ユーザであることを示す特定情報である場合に、前記観測情報取得部が取得した前記観測情報に対するアクセスを可能とする、請求項１または２に記載の情報管理装置。
【請求項４】
前記制御部は、前記比較情報が前記許可ユーザであることを示す特定情報である場合に、前記観測情報取得部が取得した前記観測情報を、所定時間の間のみ利用可能にする、請求項１〜３のいずれか１項に記載の情報管理装置。
【請求項５】
外部装置と通信する通信部をさらに備え、
前記制御部は、前記比較情報が前記許可ユーザであることを示す特定情報である場合に、前記外部装置に対して、前記観測情報を送信するように前記通信部を制御する、請求項１〜４のいずれか１項に記載の情報管理装置。
【請求項６】
前記制御部は、前記比較情報が前記許可ユーザであることを示す特定情報であると判定してから所定時間の間のみ、前記外部装置に対して、前記観測情報を送信するように前記通信部を制御する、請求項５に記載の情報管理装置。
【請求項７】
前記外部装置は、
前記基準情報を記憶する外部記憶部と、
前記基準情報と、前記比較情報とを比較する外部比較部を含む外部制御部と、を備え、
前記外部制御部は、前記外部比較部による前記基準情報と、前記比較情報との比較結果に基づいて、前記比較情報が前記許可ユーザであることを示す特定情報であるか否かを判定する、請求項５または６に記載の情報管理装置。
【請求項８】
前記基準情報は、前記許可ユーザを特定可能な音声、顔、匂い、網膜、虹彩、および静脈に関する情報の少なくとも１つを含む、請求項１〜７のいずれか１項に記載の情報管理装置。
【請求項９】
動物の周囲の状態を観測して観測情報として取得するステップと、
許可ユーザを特定可能な特定情報を比較情報として検出するステップと、
あらかじめ記憶された許可ユーザを特定可能な特定情報である基準情報と、前記比較情報とを比較するステップと、
前記比較情報が前記許可ユーザであることを示す特定情報であるか否かを判定するステップと、
前記比較情報が前記許可ユーザであることを示す特定情報である場合に、前記観測情報を利用可能にするステップと、
を含む、情報管理方法。
【請求項１０】
コンピュータに、
動物の周囲の状態を観測して観測情報として取得する処理と、
許可ユーザを特定可能な特定情報を比較情報として検出する処理と、
あらかじめ記憶された許可ユーザを特定可能な特定情報である基準情報と、前記比較情報とを比較する処理と、
前記比較情報が前記許可ユーザであることを示す特定情報であるか否かを判定する処理と、
前記比較情報が前記許可ユーザであることを示す特定情報である場合に、前記観測情報を利用可能にする処理と、
を実行させる、情報管理プログラム。
【発明の詳細な説明】
【技術分野】
【０００１】
本発明は、情報管理装置、情報管理方法、および情報管理プログラムに関する。
【背景技術】
【０００２】
ユーザがペット（例えば、犬や猫）を飼っている場合に、そのユーザに発生した異常や、屋内で発生した異常をペットの行動や状態に基づいて判定する技術が知られている。
【０００３】
例えば、特許文献１では、行動観測装置をペットに装着し、ペットの行動や状態を所定間隔で観測している。行動観測装置は、観測データを得るたびに、または観測データの量が一定値に達した時に、その観測データをデータ解析装置に送信する。データ解析装置は、観測データに基づいて、ペットの飼い主などが異常状態であるか否かを判定する。
【先行技術文献】
【特許文献】
【０００４】
【特許文献１】特開２０１６−１２２２８０号公報
【発明の概要】
【発明が解決しようとする課題】
【０００５】
特許文献１に記載されているような行動観測装置に、カメラ、マイクロフォン、位置センサなどが含まれる場合、観測データには、ペットの行動範囲における様々な情報が含まれる。それらの情報には、飼い主やその家族の顔の画像、自宅の映像、および住所を特定可能な位置情報などに加えて、近隣の居住者に関する情報など、プライバシーに関する情報が含まれることがある。そのため、行動観測装置を紛失したり、盗まれたりした場合に、これらのプライバシーに関する情報が外部に漏れてしまう恐れがある。また、行動観測装置が、例えば、ブロードバンド通信によって、常時、インターネットに接続されている場合、セキュリティが破られてしまうことによって、プライバシーに関する情報が拡散してしまう恐れもある。
【０００６】
本発明は、上記に鑑みてなされたものであり、プライバシー情報を含む可能性のある、動物の周囲における観測情報の漏洩を防止することのできる情報管理装置、情報管理方法、および情報管理プログラムを提供することを目的とする。
【課題を解決するための手段】
【０００７】
本発明の第１の態様の情報管理装置は、動物の周囲の状態を観測して観測情報として取得する観測情報取得部と、許可ユーザを特定可能な特定情報を比較情報として検出する検出部と、あらかじめ記憶された許可ユーザを特定可能な特定情報である基準情報と、前記検出部が取得した前記比較情報とを比較し前記比較情報が前記許可ユーザであることを示す特定情報であるか否かを判定し、前記比較情報が前記許可ユーザであることを示す特定情報である場合に、前記観測情報取得部が取得した前記観測情報を利用可能にする制御部と、を備える。
【０００８】
本発明の第２の態様の情報管理方法は、動物の周囲の状態を観測して観測情報として取得するステップと、許可ユーザを特定可能な特定情報を比較情報として検出するステップと、あらかじめ記憶された許可ユーザを特定可能な特定情報である基準情報と、前記比較情報とを比較するステップと、前記比較情報が前記許可ユーザであることを示す特定情報であるか否かを判定するステップと、前記比較情報が前記許可ユーザであることを示す特定情報である場合に、前記観測情報を利用可能にするステップと、を含む。
【０００９】
本発明の第３の態様の情報管理プログラムは、コンピュータに、動物の周囲の状態を観測して観測情報として取得する処理と、許可ユーザを特定可能な特定情報を比較情報として検出する処理と、あらかじめ記憶され許可ユーザを特定可能な特定情報である基準情報と、前記比較情報とを比較する処理と、前記比較情報が前記許可ユーザであることを示す特定情報であるか否かを判定する処理と、前記比較情報が前記許可ユーザであることを示す特定情報である場合に、前記観測情報を利用可能にする処理と、を実行させる。
【発明の効果】
【００１０】
本発明によれば、プライバシー情報を含む可能性のある、動物の周囲における観測情報の漏洩を防止することができる。
【図面の簡単な説明】
【００１１】
【図１】図１は、本発明の第１の実施形態に係る情報管理装置の構成を示すブロック図である。
【図２】図２は、本発明の第１の実施形態に係る情報管理装置をペットに装着する一例を示す模式図である。
【図３】図３は、本発明の第１の実施形態に係る情報管理装置の記憶部が記憶する基準情報の一例を示す図である。
【図４】図４は、本発明の第１の実施形態に係る情報管理装置の制御部の動作の流れの一例を示すフローチャートである。
【図５】図５は、本発明の第１の実施形態に係る情報管理装置の制御部の動作の流れの一例を示すフローチャートである。
【図６】図６は、本発明の第２の実施形態に係る情報管理装置の構成を示すブロック図である。
【図７】図７は、本発明の第２の実施形態に係る情報管理装置の制御部の動作の流れを示すフローチャートである。
【図８】図８は、本発明の第２の実施形態に係る情報管理装置の制御部の動作の流れを示すフローチャートである。
【図９】図９は、本発明の第２の実施形態において、外部装置が携帯端末である場合の例を示す模式図である。
【図１０】図１０は、本発明の第２の実施形態に係る情報管理装置の制御部の動作の流れを示すフローチャートである。
【図１１】図１１は、本発明の第２の実施形態に係る情報管理装置の制御部の動作の流れを示すフローチャートである。
【発明を実施するための形態】
【００１２】
以下、図面を参照しながら、本発明の実施形態について詳細に説明する。なお、各図において同一または相当する部分には同一の符号を付して適宜説明は省略する。
【００１３】
[第１の実施形態]
図１は、本発明の第１の実施形態に係る情報管理装置１００の構成を示すブロック図である。図２は、本発明の第１の実施形態に係る情報管理装置１００をペット（動物）に装着する一例を示す模式図である。以下、図１および図２を参照し、本発明の第１の実施形態について説明する。
【００１４】
図１に示すように、情報管理装置１００は、観測情報取得部１１０と、記憶部１２０と、検出部１３０と、通信部１４０と、制御部１５０と、を備える。図２に示すように、情報管理装置１００は、例えば、ペットＰ（例えば、犬や猫）の首輪などに装着される。この場合、情報管理装置１００は、ペットＰの所定の範囲内にいる人物Ｕ（例えば、飼い主）の顔の映像、音声、および生体情報などを取得する。また、情報管理装置１００は、ペットＰの行動範囲における周囲の映像や音声を取得する。情報管理装置１００は、ペットＰの足などに装着してもよい。すなわち、本実施形態において、情報管理装置１００は、ペットに装着される装置である。また、情報管理装置１００は、例えば、飼い主や住居などの異常を検知したり、健康管理の目的で飼い主の生体情報を取得したりする装置である。具体的には、情報管理装置１００は、例えば、飼い主や住居などの異常を検知した場合に、飼い主の家族、警察、病院などに自動的に通知することができる。なお、これらの本発明と直接的に関連のない構成要素については、詳細な説明および図示を省略している。また、情報管理装置１００は、ペットＰの行動履歴を記録する装置であってもよい。例えば、ペットＰが住居内や住居外で行動した位置情報、映像情報などを記録する。
【００１５】
観測情報取得部１１０は、例えば、ペットＰの周囲における映像、音声を取得する。また、観測情報取得部１１０は、ペットＰの周囲における映像、音声を分析することで、ペットＰの飼い主およびその周囲に発生する異常を検知する。また、観測情報取得部１１０は、飼い主の健康管理をしたりする目的のために、飼い主の映像、音声、および各種の生体情報を観測情報として取得する。また、観測情報取得部１１０は、上記目的以外においても、ペットＰの周囲における映像、音声を観測情報として取得する。そのため、観測情報には、飼い主やその家族の顔の映像、音声、および自宅の映像などに加えて、位置情報や近隣の居住者に関する情報など、プライバシーに関する情報も含まれている。観測情報取得部１１０は、例えば、ペットＰの行動範囲における映像、音声や、ペットＰから所定の範囲内にいる人物Ｕの顔の映像、音声、および生体情報を取得する。観測情報取得部１１０は、例えば、カメラ、マイクロフォン、生体センサであり、観測情報取得部１１０の位置情報を特定するＧＰＳ受信装置を含んでいてもよい。観測情報取得部１１０がカメラである場合には、例えば、ペットＰの周囲の映像、人物Ｕの映像（例えば、顔の映像）、網膜、虹彩に関する情報を取得する。観測情報取得部１１０がマイクロフォンである場合には、例えば、ペットＰの周囲の音声、人物Ｕの音声に関する情報を取得する。観測情報取得部１１０が生体センサである場合には、例えば、飼い主の脈波、匂い、血管パターン、および静脈パターン（例えば、顔の静脈パターン）などの生体情報を取得する。観測情報取得部１１０は、カメラ、マイクロフォン、および生体センサなどを組み合わせて構成してもよい。また、生体センサは、上記を取得する生体センサに限定されない。観測情報取得部１１０は、ペットＰの飼い主などである許可ユーザを特定する特定情報を比較情報として検出する検出部として機能させてもよい。観測情報取得部１１０は、記憶部１２０が記憶している基準情報と、検出部１３０が検出した比較情報とが一致すると判定された場合に、人物Ｕの観測情報を取得することが制御部１５０によって許可されてもよい。ここでいう一致とは、人物Ｕの生体情報が許可ユーザの生体情報であることが判断できる程度の一致であればよい。言い換えると、基準情報と比較情報とを比較して、比較情報が許可ユーザであることを示す情報であることを判定する。以下の説明においては、説明を容易とするために一致として説明する。例えば、観測情報取得部１１０は、検出部１３０が検出した人物Ｕの顔の映像と、記憶部１２０が、あらかじめ記憶している観測情報の利用を許可されている人物（許可ユーザ）の顔が一致した場合に、人物Ｕの顔の映像や音声を取得した観測情報、生体情報を含む観測情報を、読出し可能としたり、他の装置へ送信可能としたりする。この場合、観測情報取得部１１０は、あらかじめ定めた所定の時間の間のみ、観測情報を読出し可能としたり、他の装置へ送信可能としたりしてもよい。対象となる観測情報は、観測情報取得部１１０が取得中の観測情報に加えて記憶部１２０に記憶されている観測情報取得部１１０が取得済の観測情報も含む。
【００１６】
記憶部１２０は、観測情報取得部１１０が取得した観測情報と、観測情報取得部１１０を介して観測情報を取得可能な許可ユーザ（例えば、ペットＰの飼い主）を、特定可能な特定情報である基準情報を記憶している。具体的には、記憶部１２０は、基準情報として、許可ユーザなどの顔の映像、音声、および生体情報を記憶している。ペットＰの飼い主などは、許可ユーザの生体情報を、記憶部１２０に登録することができる。許可ユーザは、例えば、ペットＰの飼い主の家族などの近親者であるが、これに限定されない。記憶部１２０は、過去から現在までに観測情報取得部１１０が取得した全ての観測情報を記憶していてもよいし、所定の期間の間に取得した観測情報のみを記憶していてもよい。記憶部１２０は、情報管理装置１００におけるデータの一時記憶などにも利用してよい。記憶部１２０は、例えば、ＲＡＭ（Random  Access  Memory）、ＲＯＭ（Read  Only  Memory）、フラッシュメモリ（Flash  Memory）などの半導体メモリ素子などの記憶装置である。また、記憶部１２０は、図示しない通信装置を介して無線または有線で接続される外部記憶装置などであってもよい。
【００１７】
図３は、記憶部１２０が基準情報として記憶する、許可ユーザの音声情報、顔情報、および生体情報の一例を示す図である。図３には、許可ユーザとして、ユーザＡ（飼い主）、ユーザＢ、およびユーザＣの音声情報、顔情報、および生体情報が示されている。すなわち、記憶部１２０は、許可ユーザごとの音声情報、顔情報、および生体情報を基準情報として記憶している。ユーザＢおよびユーザＣは、例えば、ユーザＡの家族などのユーザである。図３では、基準情報として、音声情報、顔情報、網膜情報、虹彩情報、血管情報、および静脈情報が含まれている。この場合、例えば、ユーザＡの音声情報は「Ａ１」、顔情報は「Ａ２」、網膜情報は「Ａ３」、虹彩情報は「Ａ４」、血管情報は「Ａ５」、および静脈情報は「Ａ６」であることを意味している。記憶部１２０は、基準情報として、音声情報、顔情報、網膜情報、虹彩情報、血管情報、および静脈情報の少なくとも１つを含んでいればよい。図３に示す基準情報は例示であり、記憶部１２０が記憶する生体情報としては、許可ユーザを個別に識別できる情報であればよい。
【００１８】
検出部１３０は、人物Ｕを特定可能な特定情報を比較情報として検出する。具体的には、検出部１３０は、特定情報として、人物Ｕの顔の映像、音声、および生体情報を取得する。検出部１３０は、例えば、カメラ、マイクロフォン、生体センサである。検出部１３０は、例えば、カメラ、マイクロフォン、生体センサを組み合わせて構成され、人物Ｕについての複数の生体情報を検出してもよい。なお、検出部１３０を設けずに、観測情報取得部１１０を検出部１３０として利用してもよい。
【００１９】
通信部１４０は、人物Ｕが許可ユーザである場合に、許可ユーザによって特定された他の装置に対して、観測情報を送信する機能を有している。通信部１４０は、例えば、観測情報を、制御部１５０からの指示に従い、許可ユーザの所有する携帯端末や、予め登録されたサーバ装置などに送信する。
【００２０】
制御部１５０は、情報管理装置１００を構成する各部を制御する。具体的には、制御部１５０は、記憶部１２０に記憶されているプログラムを展開して実行することによって、情報管理装置１００を構成する各部を制御する。制御部１５０は、基準情報と、比較情報とを比較し、比較結果に基づいて、基準情報と、比較情報とが一致しているか否かを判定する。制御部１５０は、基準情報と、比較情報とが一致した場合に、観測情報取得部１１０が取得した観測情報を利用可能とする。具体的には、制御部１５０は、基準情報と、比較情報とが一致した場合に、観測情報取得部１１０が取得した観測情報がアクセス（取得）可能となるように情報管理装置１００を制御する。例えば、制御部１５０は、記憶部１２０が記憶している観測情報をＳＤカードなどの記憶媒体に格納することで、記憶媒体から観測情報を取得できるようにしてもよい。この場合、情報管理装置１００が記憶媒体の書き込み機能を備えていてもよいし、情報管理装置と接続可能な外部装置を利用して観測情報を記憶媒体に書き込んでもよい。例えば、制御部１５０は、予め登録された許可ユーザの携帯端末または予め登録されたサーバ装置などに観測情報を送信するように通信部１４０を制御してもよい。制御部１５０は、基準情報と、比較情報とが一致した場合に、観測情報取得部１１０に対し、観測情報の取得を許可してもよい。制御部１５０は、基準情報と、比較情報とが一致した場合に、所定時間の間のみ、観測情報を利用できるよう情報管理装置１００を制御してもよい。制御部１５０は、例えば、ＣＰＵ（Central  Processing  Unit）を含む、電子的な回路などで実現することができる。制御部１５０は、基準情報取得部１５１と、比較情報取得部１５２と、比較部１５３と、判定部１５４と、動作制御部１５５とを含む。
【００２１】
基準情報取得部１５１は、記憶部１２０が記憶する基準情報を取得する。比較情報取得部１５２は、検出部１３０が検出した比較情報を取得する。
【００２２】
比較部１５３は、基準情報取得部１５１が取得した基準情報と、比較情報取得部１５２が取得した比較情報とを比較する。例えば、比較部１５３は、検出部１３０が比較情報として音声情報を取得した場合に、その音声情報と、図３に図示の「Ａ１」、「Ｂ１」、および「Ｃ１」を比較する。基準情報と、比較情報とを比較する方法に特に制限はないが、例えば、比較部１５３は、パターンマッチングなどを利用して、基準情報と、比較情報とを比較する。また、比較部１５３は、検出部１３０が複数の比較情報を検出した場合には、その複数の比較情報と、対応する複数の基準情報とを比較する。例えば、検出部１３０が、人物Ｕの比較情報として顔の映像と、音声とを検出した場合には、比較部１５３は、顔の映像と、音声との比較情報と、顔の映像と、音声との基準情報とを比較する。
【００２３】
判定部１５４は、比較部１５３の比較結果に基づいて、基準情報と、比較情報とが一致するか否かを判定する。例えば、判定部１５４は、基準情報と、比較情報の一致の度合いを算出し、算出された値が、あらかじめ定められた閾値を超えるか否かによって、基準情報と、比較情報とが一致するか否かを判定する。具体的には、比較情報が音声情報である場合には、判定部１５４は、その音声情報と、図３に図示の「Ａ１」、「Ｂ１」、および「Ｃ１」との一致の度合いによって、人物Ｕが、許可ユーザであるか否かを判定する。また、判定部１５４は、顔の映像、音声、および複数の生体情報を組み合わせて、基準情報と、比較情報とが一致するか否かを判定してもよい。例えば、判定部１５４は、最初に、人物Ｕの顔の映像についての基準情報と、比較情報とを比較する。この場合、判定部１５４は、人物Ｕの顔の映像についての基準情報と、比較情報とが一致すると判定した場合には、人物Ｕは観測情報の利用を許可された人物、つまり許可ユーザであると判定する。一方、判定部１５４は、人物Ｕの顔の映像についての基準情報と、比較情報とが一致しないと判定した場合には、動作を終了せずに、例えば、人物Ｕの音声についての基準情報と、比較情報とが一致するか否かを判定する。そして、判定部１５４は、人物Ｕの音声についての基準情報と、比較情報とが一致すると判定した場合には、人物Ｕは観測情報の利用を許可された人物、つまり許可ユーザであると判定する。
【００２４】
動作制御部１５５は、判定部１５４が基準情報と、比較情報とが一致すると判定した場合に、観測情報が利用可能となるようにする。例えば、動作制御部１５５は、記憶部１２０が記憶している観測情報をＳＤカードなどの記憶媒体に格納することで、許可ユーザが観測情報を取得できるようにする。例えば、動作制御部１５５は、記憶部１２０が記憶している情報を許可ユーザの持つ端末に送信するように通信部１４０を制御する。例えば、動作制御部１５５は、基準情報と、比較情報とが一致した場合のみ、観測情報を取得するように観測情報取得部１１０を制御する。動作制御部１５５は、判定部１５４が基準情報と、比較情報とが一致しないと判定した場合、通信部１４０を制御することなく動作を終了する。
【００２５】
[情報管理装置１００の動作]
図４は、情報管理装置１００の制御部１５０の動作の流れを示すフローチャートである。以下、図４を参照しつつ、制御部１５０の動作の流れについて説明する。
【００２６】
まず、制御部１５０は、記憶部１２０から基準情報を取得し、検出部１３０から比較情報を取得する（ステップＳ１０１）。具体的には、制御部１５０は、基準情報取得部１５１によって基準情報を取得し、比較情報取得部１５２によって比較情報を取得する。そして、制御部１５０は、ステップＳ１０２に進む。
【００２７】
制御部１５０は、基準情報と、比較情報とを比較する（ステップＳ１０２）。具体的には、制御部１５０は、比較部１５３によって基準情報と、比較情報とを比較する。そして、制御部１５０は、ステップＳ１０３に進む。
【００２８】
制御部１５０は、基準情報と、比較情報とが一致するか否かを判定する（ステップＳ１０３）。具体的には、制御部１５０は、判定部１５４によって、基準情報と、比較情報とが一致するか否かを判定する。そして、基準情報と、比較情報とが一致しない場合（ステップＳ１０４の「Ｎｏ」）、制御部１５０は、動作を終了する。すなわち、基準情報と、比較情報とが一致しない場合、制御部１５０は、情報管理装置１００を操作するユーザに観測情報の利用を許可することなく、動作を終了する。また、基準情報と、比較情報とが一致する場合（ステップＳ１０４の「Ｙｅｓ」）、制御部１５０は、ステップＳ１０５に進む。
【００２９】
制御部１５０は、情報管理装置１００をユーザが操作したとき観測情報の利用を可能とする（ステップＳ１０５）。そして、制御部１５０は、動作を終了する。
【００３０】
図５は、制御部１５０の図４とは異なる動作の流れを示すフローチャートである。以下、図５を参照しつつ、制御部１５０の動作の流れについて説明する。
【００３１】
ステップＳ２０１〜Ｓ２０３については、図４に図示のステップＳ１０１〜Ｓ１０３と同様なので説明は省略する。基準情報と、比較情報とが一致しない場合（ステップＳ２０４の「Ｎｏ」）、制御部１５０は、動作を終了する。また、基準情報と、比較情報とが一致する場合（ステップＳ２０４の「Ｙｅｓ」）、制御部１５０は、ステップＳ２０５に進む。
【００３２】
制御部１５０は、所定時間の間のみ、情報管理装置１００を操作したユーザが、観測情報を利用できるように情報管理装置１００を制御する（ステップＳ２０５）。所定時間の間に情報管理装置１００を操作するユーザから、観測情報の利用を求める指示がなかった場合（ステップＳ２０６の「Ｎｏ」）、制御部１５０は、動作を終了する。所定時間の間に情報管理装置１００を操作するユーザから観測情報の利用を求める指示があった場合（ステップＳ２０６の「Ｙｅｓ」）、制御部１５０は、ステップＳ２０７に進む。
【００３３】
制御部１５０は、所定期間の間に情報管理装置１００が操作されたとき観測情報の利用を可能とする（ステップＳ２０７）。
【００３４】
上述したように、本実施形態では、観測情報を取得できる時間が、基準情報と、比較情報とが一致した場合に制限される。これにより、本実施形態は、観測情報を取得できる方法が制限されており、他人が観測情報を取得することができなくなるため、プライバシー情報を含む可能性のある観測情報が漏洩する可能性をより確実に低減することができる。また、本実施形態では、観測情報を利用できる時間を制限することができる。具体例としては、観測情報を利用できる時間は、基準情報と比較情報とが一致してから６０秒間などとする。これにより、本実施形態は、許可ユーザが観測情報を利用した後に意図しない他のユーザが観測情報を利用することを防止し、プライバシーに関する情報の漏洩をより防止することができる。
【００３５】
具体的には、本実施形態は、ペットに取り付けた情報管理装置１００を、例えば、紛失したり、盗難にあったりした場合であっても、観測情報を取得する方法が制限されているので、プライバシーに関する情報の漏洩を防止することができる。また、本実施形態は、他人が、情報管理装置１００から、盗撮や、盗聴により観測情報を利用しようとしても、観測情報の取得する方法が制限されており、他人は観測情報を取得することができないので、プライバシーに関する情報の漏洩を防止することができる。さらに、本実施形態は、例えば、常時、インターネット回線と接続されているブロードバンド通信などの環境下においても、通信方式等のセキュリティに依存しない、個人情報を利用したセキュリティ対策を実現しているので、プライバシーに関する情報の漏洩をより防止することができる。
【００３６】
[第２の実施形態]
図６は、本発明の第２の実施形態に係る情報管理装置１００Ａの構成を示すブロック図である。具体的には後述するが、情報管理装置１００Ａは、外部装置２００と通信可能に接続されている。
【００３７】
図６に示すように、情報管理装置１００Ａは、観測情報取得部１１０と、記憶部１２０と、検出部１３０と、通信部１４０と、制御部１５０と、を備える。
【００３８】
第２の実施形態では、制御部１５０は、基準情報と、比較情報とが一致した場合に、外部装置２００に対して、観測情報を送信するように通信部１４０を制御することができる。制御部１５０は、基準情報と、比較情報とが一致すると判定してから所定時間の間のみ、外部装置２００に対して、観測情報を送信するように通信部１４０を制御してもよい。また、制御部１５０は、後述する外部装置２００による基準情報と、比較情報との比較結果に基づいて、基準情報と、比較情報とが一致するか否かを判定してもよい。
【００３９】
通信部１４０は、外部装置２００と接続されてまたは接続可能であり、外部装置２００とに対して、観測情報および比較情報などを送信する。通信部１４０は、外部装置２００から、基準情報と比較情報との比較結果などを受信する。通信部１４０は、外部装置２００と無線または有線で接続される。
【００４０】
図６に示すように、外部装置２００は、記憶部２１０と、制御部２２０と、通信部２３０と、通知部２４０と、を備える。外部装置２００は、例えば、スマートフォン、タブレット端末、携帯電話、ＰＣ（Personal  Computer）などの許可ユーザの所有または利用する端末である。
【００４１】
記憶部２１０は、許可ユーザの基準情報を記憶している。具体的には、記憶部２１０は、情報管理装置１００Ａの記憶部１２０が記憶している基準情報と同一の基準情報を記憶している。記憶部２１０は、外部記憶部とも呼ばれることがある。
【００４２】
制御部２２０は、比較部２２１と、動作制御部２２２とを有する。制御部２２０は、情報管理装置１００Ａから比較情報を受信すると、比較部２２１によって、記憶部２１０が記憶している基準情報と、比較情報とを比較する。基準情報と、比較情報とを比較する方法に特に制限はないが、例えば、制御部２２０は、パターンマッチングなどを利用して、基準情報と、比較情報とを比較する。制御部２２０は、動作制御部２２２によって、基準情報と、比較情報の比較結果を、情報管理装置１００Ａに対して送信するように通信部２３０を制御する。制御部２２０は、動作制御部２２２によって、情報管理装置１００Ａから受信した観測情報を、情報管理装置１００Ａを操作したユーザに対して通知するように通知部２４０を制御する。制御部２２０、比較部２２１、および動作制御部２２２は、それぞれ、外部制御部、外部比較部、および外部動作制御部とも呼ばれることがある。
【００４３】
通信部２３０は、比較部２２１による比較結果を、情報管理装置１００Ａに対して送信する。通信部２３０は、情報管理装置１００Ａから観測情報を受信する。具体的には、通信部２３０は、情報管理装置１００Ａの通信部１４０と、通信可能に接続されている。通信部２３０は、情報管理装置１００Ａと無線または有線で接続される。通信部２３０は、外部通信部とも呼ばれることがある。
【００４４】
通知部２４０は、通信部２３０が情報管理装置１００Ａから受信した観測情報を許可ユーザに対して通知する。通知部２４０は、例えば、液晶ディスプレイおよび有機ＥＬ（Ｅｌｅｃｔｒｏ−Ｌｕｍｉｎｅｓｃｅｎｃｅ）ディスプレイなどを含むディスプレイである。この場合、通知部２４０は、情報管理装置１００Ａを操作したユーザに対して観測情報を表示する。
【００４５】
[第２の実施形態の動作]
図７は、情報管理装置１００Ａの制御部１５０の動作の流れを示すフローチャートである。以下、図７を参照しつつ、情報管理装置１００Ａの制御部１５０の動作の流れについて説明する。
【００４６】
ステップＳ３０１〜Ｓ３０３については、図４に図示のステップＳ１０１〜Ｓ１０３と同様なので説明は省略する。基準情報と、比較情報とが一致しない場合（ステップＳ３０４の「Ｎｏ」）、制御部１５０は、動作を終了する。また、基準情報と、比較情報とが一致する場合（ステップＳ３０４の「Ｙｅｓ」）、制御部１５０は、ステップＳ３０５に進む。
【００４７】
制御部１５０は、外部装置２００に対して観測情報を送信する（ステップＳ３０５）。具体的には、制御部１５０は、通信部１４０を制御することによって、外部装置２００に対して観測情報を送信する。そして、外部装置２００は、通知部２４０によって、情報管理装置１００Ａを操作したユーザに対して観測情報を通知する。
【００４８】
図８は、制御部１５０の図７とは異なる動作の流れを示すフローチャートである。以下、図８を参照しつつ、制御部１５０の動作の流れについて説明する。
【００４９】
ステップＳ４０１〜Ｓ４０３については、図４に図示のステップＳ１０１〜Ｓ１０３と同様なので説明は省略する。基準情報と、比較情報とが一致しない場合（ステップＳ４０４の「Ｎｏ」）、制御部１５０は、動作を終了する。また、基準情報と、比較情報とが一致する場合（ステップＳ４０４の「Ｙｅｓ」）、制御部１５０は、ステップＳ４０５に進む。
【００５０】
制御部１５０は、所定時間の間のみ、観測情報を外部装置２００に対して送信できるように通信部１４０を制御する（ステップＳ４０５）。所定時間の間に情報管理装置１００Ａを操作するユーザから送信を求める指示がなかった場合（ステップＳ４０６の「Ｎｏ」）、制御部１５０の動作は終了する。所定時間の間に情報管理装置１００Ａを操作するユーザから送信を求める指示があった場合（ステップＳ４０６の「Ｙｅｓ」）、制御部１５０は、ステップＳ４０７に進む。
【００５１】
制御部１５０は、外部装置２００に対して観測情報を送信する（ステップＳ４０７）。制御部１５０は、送信を求める指示が無くとも自動的に送信することとしてもよい。そして、外部装置２００は、通知部２４０によって、情報管理装置１００Ａを操作したユーザに対して観測情報を通知する。
【００５２】
図９は、外部装置２００が許可ユーザの所有するスマートフォンなどの携帯端末である場合の例を示す模式図である。人物Ｕが、許可ユーザである場合、情報管理装置１００Ａから外部装置２００に観測情報が送信される。
【００５３】
[第２の実施形態の変形例]
図７および図８に示したフローチャートでは、情報管理装置１００Ａで基準情報と、比較情報とを比較し、基準情報と、比較情報とが一致するか否かを判定した。しかしながら、基準情報と、比較情報との比較は、外部装置２００が行ってもよい。
【００５４】
図１０は、基準情報と、比較情報との比較を外部装置２００が行う場合の、情報管理装置１００Ａの制御部１５０の動作の一例を示すフローチャートである。以下、図１０を参照しつつ、制御部１５０の動作の流れについて説明する。
【００５５】
制御部１５０は、検出部１３０から情報管理装置１００Ａを操作しているユーザの比較情報を取得する（ステップＳ５０１）。そして、制御部１５０は、ステップＳ５０２に進む。
【００５６】
制御部１５０は、検出部１３０から取得した比較情報を、外部装置２００に送信する（ステップＳ５０２）。具体的には、制御部１５０は、通信部１４０を制御し、通信部１４０によって、比較情報を外部装置２００に送信する。そして、制御部１５０は、ステップＳ５０３に進む。この場合、外部装置２００の制御部２２０は、記憶部２１０が記憶している基準情報と、情報管理装置１００Ａから受信した比較情報とを比較する。具体的には、制御部２２０は、比較部２２１によって、基準情報と、比較情報とを比較する。外部装置２００は、基準情報と、比較情報との比較結果を、通信部２３０によって、情報管理装置１００Ａに送信する。
【００５７】
制御部１５０は、外部装置２００から基準情報と、比較情報との比較結果を取得する（ステップＳ５０３）。具体的には、制御部１５０は、通信部１４０によって、基準情報と比較情報との比較結果を受信する。そして、制御部１５０は、ステップＳ５０４に進む。
【００５８】
制御部１５０は、外部装置２００から受信した比較結果に基づいて、基準情報と、比較情報とが一致するか否かを判定する（ステップＳ５０４）。具体的には、制御部１５０は、判定部１５４によって、基準情報と、比較情報とが一致しているか否かを判定する。そして、制御部１５０は、ステップＳ５０５に進む。
【００５９】
基準情報と、比較情報とが一致しない場合（ステップＳ５０５の「Ｎｏ」）、制御部１５０は、動作を終了する。また、基準情報と、比較情報とが一致する場合（ステップＳ５０５の「Ｙｅｓ」）、制御部１５０は、ステップＳ５０６に進む。
【００６０】
制御部１５０は、情報管理装置１００Ａを操作したユーザに対して、観測情報の利用を許可する（ステップＳ５０６）。
【００６１】
図１１は、制御部１５０の図１０とは異なる動作の流れを示すフローチャートである。以下、図１１を参照しつつ、制御部１５０の動作の流れについて説明する。
【００６２】
ステップＳ６０１〜Ｓ６０４については、図１０に図示のステップＳ５０１〜Ｓ５０４と同様なので説明は省略する。基準情報と、比較情報とが一致しない場合（ステップＳ６０５の「Ｎｏ」）、制御部１５０は、動作を終了する。また、基準情報と、比較情報とが一致する場合（ステップＳ６０５の「Ｙｅｓ」）、制御部１５０は、ステップＳ６０６に進む。
【００６３】
制御部１５０は、情報管理装置１００Ａを操作したユーザに対して、所定時間の間のみ、観測情報を利用できるように情報管理装置１００Ａを制御する（ステップＳ６０６）。所定時間の間に情報管理装置１００を操作したユーザから利用を求める指示がなかった場合（ステップＳ６０７の「Ｎｏ」）、制御部１５０は、動作を終了する。所定時間の間に情報管理装置１００を操作したユーザから利用を求める指示があった場合（ステップＳ６０７の「Ｙｅｓ」）、制御部１５０は、ステップＳ６０８に進む。
【００６４】
制御部１５０は、情報管理装置１００を操作したユーザに対して、観測情報の利用を可能とする（ステップＳ６０８）。
【００６５】
上述したように、本実施形態は、基準情報と、比較情報とが一致した場合に、許可ユーザの所有する端末に観測情報を送信する。これにより、観測情報の利用を許可されたユーザは、観測情報を容易に利用することができるようになる。
【００６６】
情報管理装置１００および情報管理装置１００Ａの構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００６７】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【００６８】
１００，１００Ａ  情報管理装置
１１０  観測情報取得部
１２０，２１０  記憶部
１３０  検出部
１４０，２３０  通信部
１５０，２２０  制御部
１５１  基準情報取得部
１５２  比較情報取得部
１５３，２２１  比較部
１５４  判定部
１５５，２２２  動作制御部
２００  外部装置
２４０  通知部
Ｐ  ペット
Ｕ  人物
【図１】
2019109832.tif 000003
【図２】
2019109832.tif 000004
【図３】
2019109832.tif 000005
【図４】
2019109832.tif 000006
【図５】
2019109832.tif 000007
【図６】
2019109832.tif 000008
【図７】
2019109832.tif 000009
【図８】
2019109832.tif 000010
【図９】
2019109832.tif 000011
【図１０】
2019109832.tif 000012
【図１１】
2019109832.tif 000013